(57)【要約】【課題】受信装置としてナイキストフィルタ部を歪み補償部の前段側に配置した構成であっても、送信装置からの信号に含まれている非線形歪みを適切に補償することが可能な無線通信システムを提供する。【解決手段】受信装置10は、送信装置20から受信した信号の整形を行うナイキストフィルタ部12の後段に、補償係数を用いて送信装置20からの信号に含まれている非線形歪みを補償した信号を出力する歪み補償部13を配置し、かつ、歪み補償部13と誤差検出部15との間に、歪み補償部13から出力される信号に含まれている広帯域のノイズ成分を減衰させて、送信装置20からの信号に含まれている非線形歪みを推定することが可能な信号を出力する送信歪み推定用フィルタ部16を備え、誤差検出部15において、送信歪み推定用フィルタ部16から出力された信号に基づいて前記誤差信号を検出する。【選択図】図１
2019213088.tif 000002
【特許請求の範囲】
【請求項１】
信号を送信する送信装置と、該信号を受信する受信装置とからなり、
前記送信装置から受信した前記信号に含まれる誤差を検出し、誤差信号として出力する誤差検出部を前記受信装置に備え、
前記送信装置から受信した信号の整形を行うナイキストフィルタ部の後段に、前記誤差信号に基づいて算出された補償係数を用いて前記送信装置からの前記信号に含まれている非線形歪みを補償した信号を出力する歪み補償部を配置し、
かつ、前記歪み補償部と前記誤差検出部との間に、
前記送信装置からの前記信号に含まれている非線形歪みを推定することが可能な信号を出力する送信歪み推定用フィルタ部を備え、
前記誤差検出部は、前記送信歪み推定用フィルタ部から出力された信号に基づいて前記誤差信号を検出する
ことを特徴とする無線通信システム。
【請求項２】
前記送信歪み推定用フィルタ部は、前記歪み補償部から出力される出力信号に含まれている広帯域のノイズ成分を減衰させて、前記非線形歪みを推定することが可能な前記信号を生成することを特徴とする請求項１に記載の無線通信システム。
【請求項３】
前記受信装置は、
前記歪み補償部から出力された出力信号、または、前記送信歪み推定用フィルタ部から出力された信号、のいずれかを、前記送信装置から受信した前記信号に関する自装置からの出力信号として自装置の外部に出力する
ことを特徴とする請求項１または２に記載の無線通信システム。
【請求項４】
信号を送信する送信装置と該信号を受信する受信装置とからなる無線通信システムにおいて、前記送信装置から受信した信号に含まれている誤差を検出し、誤差信号として出力する誤差検出ステップを有し、
前記受信装置は、さらに、
前記送信装置から受信した信号の整形を行うナイキストフィルタリングステップと、
前記誤差検出ステップが検出した誤差信号に基づいて算出された補償係数を用いて前記ナイキストフィルタリングステップにおいて整形を行った前記信号に含まれている非線形歪みを補償した信号を出力する歪み補償ステップと、
前記送信装置からの前記信号に含まれている非線形歪みを推定することが可能な信号を出力する送信歪み推定用フィルタリングステップと
を有し、
前記誤差検出ステップでは、前記送信歪み推定用フィルタリングステップにおいて出力された信号に基づいて前記誤差信号を検出する
ことを特徴とする非線形歪み補償方法。
【請求項５】
前記送信歪み推定用フィルタリングステップは、前記歪み補償ステップで出力される出力信号に含まれている広帯域のノイズ成分を減衰させて、前記非線形歪みを推定することが可能な前記信号を生成することを特徴とする請求項４に記載の非線形歪み補償方法。
【請求項６】
前記受信装置は、
前記歪み補償ステップにおいて出力された信号、または、前記送信歪み推定用フィルタリングステップにおいて出力された信号、のいずれかを、前記送信装置から受信した前記信号に関する自装置からの出力信号として自装置の外部に出力する
ことを特徴とする請求項４または５に記載の非線形歪み補償方法。
【請求項７】
無線通信相手の送信装置から受信した信号の整形を行うナイキストフィルタ部の後段に、誤差検出部が検出した誤差信号に基づいて算出された補償係数を用いて前記送信装置からの前記信号に含まれている非線形歪みを補償した信号を出力する歪み補償部を配置し、
かつ、前記歪み補償部と前記誤差検出部との間に、
前記送信装置からの前記信号に含まれている非線形歪みを推定することが可能な信号を出力する送信歪み推定用フィルタ部を備え、
前記誤差検出部は、前記送信歪み推定用フィルタ部から出力された信号に基づいて前記誤差信号を検出する
ことを特徴とする受信装置。
【請求項８】
前記送信歪み推定用フィルタ部は、前記歪み補償部から出力される出力信号に含まれている広帯域のノイズ成分を減衰させて、前記非線形歪みを推定することが可能な前記信号を生成することを特徴とする請求項７に記載の受信装置。
【請求項９】
前記歪み補償部から出力された出力信号、または、前記送信歪み推定用フィルタ部から出力された信号、のいずれかを、前記送信装置から受信した前記信号に関する自装置からの出力信号として自装置の外部に出力する
ことを特徴とする請求項７または８に記載の受信装置。
【発明の詳細な説明】
【技術分野】
【０００１】
本発明は、無線通信システム、非線形歪み補償方法および受信装置に関し、特に、受信装置において受信した受信信号に含まれている非線形歪みを補償する無線通信システム、非線形歪み補償方法および受信装置に関する。
【背景技術】
【０００２】
近年、デジタルマイクロ波通信システム等の無線通信システムにおいては、通信の高速化・大容量化が急速に進んでいる。そして、高速化・大容量化を実現するために、信号の高多値化および周波数利用効率の向上が強く求められている。信号の高多値化を行うためには、無線信号を送受信する送受信装置内のアナログ部の非線形デバイスの特性に応じて発生する非線形歪みを補償することが必要になる。
【０００３】
非線形歪みによる信号品質の劣化は、無線信号の送信側の送信側装置に搭載される増幅器等の非線形デバイスにおいて発生する非線形歪みによる影響が支配的となっている。かかる送信装置において発生する非線形歪みを補償する仕組みとして、リニアライザという手法が一般的に採用されている。ここで、リニアライザとは、送信装置内の増幅器等の非線形デバイスにおいて発生する信号の非線形歪みの逆特性をデジタル回路部にて付与することにより、非線形歪みの補償を行うという仕組みのことである。
【０００４】
リニアライザによる非線形歪みの補償を行う場合、受信装置において受信した受信信号に基づいて、該受信信号の送信元である送信装置内の非線形デバイスにおいて発生した非線形歪みの歪み量を推定し、補償係数を生成して、該非線形歪みを補償するという受信リニアライザという仕組みを、受信装置に搭載することが一般的になってきている。
【０００５】
受信リニアライザの仕組みとして、送信装置から受信した受信信号に関する非線形歪みを補償するための歪み補償部を受信装置に搭載する場合、現状の技術においては、該受信信号の整形を行うナイキストフィルタ部の後段側には歪み補償部を配置することができない。なぜならば、ナイキストフィルタ部による整形後の信号に対して、歪み補償部による非線形歪み補償を行おうとすると、ナイキストフィルタ部における整形処理の影響を受けて、歪み補償部の出力信号に含まれている誤差を正しく検出して適切な補償係数を取得するという動作を行うことができないため、歪み補償部における歪み補償特性が劣化してしまうからである。つまり、ナイキストフィルタ部の後段側に歪み補償部を配置した場合には、送信装置から受信した受信信号に関する適切な非線形歪みの補償を行うことができない。
【０００６】
このため、特許文献１の特開２００４−１７２９２１号公報「デジタル無線通信システムおよびそれを用いる復調器」等にも記載されているように、現状の技術においては、通常、ナイキストフィルタ部の前段側に歪み補償部を配置する構成が採用されている。図５は、現状の技術における無線通信システムの構成例を示すシステム構成図であり、受信装置に受信リニアライザの仕組みを組み込んだ場合の構成例を示している。
【０００７】
図５に示すように、送信装置４０は、変調部４１から送信信号が出力されてくると、該送信信号を増幅器等の非線形デバイス４２において増幅等の処理を行う。その結果、非線形歪みが含まれた送信信号がアンテナ４３から無線電波として出力される。
【０００８】
一方、受信リニアライザの仕組みを備えた受信装置３０側においては、送信装置４０から無線電波として出力された非線形歪みを含む信号をアンテナ３１にて受信すると、アンテナ３１にて受信した受信信号ｘ（ｔ）を歪み補償部３３に入力する。歪み補償部３３においては、入力されてきた受信信号ｘ（ｔ）に対して補償係数を用いて歪み補償を行った後、ナイキストフィルタ部３２に対して出力する。ナイキストフィルタ部３２は、歪み補償部３３から歪み補償されて出力されてきた信号に対して整形処理を行い、出力信号ｙ（ｔ）として、受信装置３０から外部の回路に対して出力する。
【０００９】
なお、歪み補償部３３において用いられる補償係数は、誤差検出部３５において歪み補償部３３が出力した出力信号から検出された誤差信号Ｅ（ｔ）を基にして補償係数算出部３４において算出される。
【先行技術文献】
【特許文献】
【００１０】
【特許文献１】特開２００４−１７２９２１号公報
【発明の概要】
【発明が解決しようとする課題】
【００１１】
前述したように、本発明に関連する現状の技術においては、受信装置において受信信号の整形処理を行うナイキストフィルタ部の前段側に歪み補償部を配置することによって、受信リニアライザとして、送信装置側において発生した非線形歪みを適切に補償する仕組みが構築されている。
【００１２】
しかし、かくのごとく、ナイキストフィルタ部の前段側に歪み補償部を配置する受信装置の回路構成においては、無線周波数の利用効率を向上させて無線通信システムの高速化・大容量化を図るための有効な仕組みであるＭＩＭＯ（Multiple  Input  Multiple  Output）等の回路構成を導入することができない。すなわち、現状の技術における受信リニアライザにおいては、非線形歪みを適切に補償することにより信号品質の向上を図ることができるので、信号の多値化を行って、無線通信システムの高速化・大容量化を実現することはできるものの、無線周波数の利用効率を向上させることによって無線通信システムの高速化・大容量化を実現することができないという問題がある。つまり、無線通信システムにおける高速化・大容量化を実現するために必須の技術である信号の高多値化と周波数利用効率とを両立させることができないという現状の技術における課題を解決することができない。
【００１３】
（本開示の目的）
本開示の目的は、かかる事情に鑑み、受信装置としてナイキストフィルタ部を歪み補償部の前段側に配置した構成であっても、送信装置からの信号に含まれている非線形歪みを適切に補償することが可能な無線通信システム、非線形歪み補償方法および受信装置を提供することにある。
【課題を解決するための手段】
【００１４】
前述の課題を解決するため、本発明による無線通信システム、非線形歪み補償方法および受信装置は、主に、次のような特徴的な構成を採用している。
【００１５】
（１）本発明による無線通信システムは、
信号を送信する送信装置と、該信号を受信する受信装置とからなり、
前記送信装置から受信した前記信号に含まれる誤差を検出し、誤差信号として出力する誤差検出部を前記受信装置に備え、
前記送信装置から受信した信号の整形を行うナイキストフィルタ部の後段に、前記誤差信号に基づいて算出された補償係数を用いて前記送信装置からの前記信号に含まれている非線形歪みを補償した信号を出力する歪み補償部を配置し、
かつ、前記歪み補償部と前記誤差検出部との間に、
前記送信装置からの前記信号に含まれている非線形歪みを推定することが可能な信号を出力する送信歪み推定用フィルタ部を備え、
前記誤差検出部は、前記送信歪み推定用フィルタ部から出力された信号に基づいて前記誤差信号を検出する
ことを特徴とする。
【００１６】
（２）本発明による非線形歪み補償方法は、
信号を送信する送信装置と該信号を受信する受信装置とからなる無線通信システムにおいて、前記送信装置から受信した信号に含まれている誤差を検出し、誤差信号として出力する誤差検出ステップを有し、
前記受信装置は、さらに、
前記送信装置から受信した信号の整形を行うナイキストフィルタリングステップと、
前記誤差検出ステップが検出した誤差信号に基づいて算出された補償係数を用いて前記ナイキストフィルタリングステップにおいて整形を行った前記信号に含まれている非線形歪みを補償した信号を出力する歪み補償ステップと、
前記送信装置からの前記信号に含まれている非線形歪みを推定することが可能な信号を出力する送信歪み推定用フィルタリングステップと
を有し、
前記誤差検出ステップでは、前記送信歪み推定用フィルタリングステップにおいて出力された信号に基づいて前記誤差信号を検出する
ことを特徴とする。
【００１７】
（３）本発明による受信装置は、
無線通信相手の送信装置から受信した信号の整形を行うナイキストフィルタ部の後段に、誤差検出部が検出した誤差信号に基づいて算出された補償係数を用いて前記送信装置からの前記信号に含まれている非線形歪みを補償した信号を出力する歪み補償部を配置し、
かつ、前記歪み補償部と前記誤差検出部との間に、
前記送信装置からの前記信号に含まれている非線形歪みを推定することが可能な信号を出力する送信歪み推定用フィルタ部を備え、
前記誤差検出部は、前記送信歪み推定用フィルタ部から出力された信号に基づいて前記誤差信号を検出する
ことを特徴とする。
【発明の効果】
【００１８】
本発明の無線通信システム、非線形歪み補償方法および受信装置によれば、主に、以下のような効果を奏することができる。
【００１９】
送信歪み推定用フィルタ部を誤差検出部の前段に配置して、歪み補償部が出力する出力信号に含まれている広帯域のノイズ成分を減衰させているので、誤差検出部において誤差を正しく検出することが可能になる。而して、ナイキストフィルタ部の後段に歪み補償部を配置しても、正しく検出された誤差に基づいて適切な補償係数が算出され、歪み補償部において正確な歪み補償を行うことができるので、受信装置から出力される出力信号の信号品質を向上させることが可能になる。
【００２０】
したがって、受信装置は、周波数利用効率の向上を図るためにＭＩＭＯなどの構成を採用しようとする場合のように、歪み補償部をナイキストフィルタ部の前段に配置することができないような場合であっても、該受信装置から出力される出力信号の信号品質を向上させることが可能となり、信号の高多値化を採用することが可能になる。つまり、信号の高多値化と周波数利用効率の向上とを両立させることが可能になり、無線通信システムの高速化・大容量化を図ることが可能になる。
【図面の簡単な説明】
【００２１】
【図１】本発明に係る無線通信システムのシステム構成の一例を示すシステム構成図である。
【図２】図１の送信装置の非線形デバイスにおいて発生する非線形歪みのスペクトラムの一例を示す模式図である。
【図３】図１の受信装置の歪み補償部の出力信号のスペクトラムの一例を示す模式図である。
【図４】本発明に係る無線通信システムのシステム構成の図１とは異なる例を示すシステム構成図である。
【図５】現状の技術における無線通信システムの構成例を示すシステム構成図である。
【発明を実施するための形態】
【００２２】
以下、本発明による無線通信システム、非線形歪み補償方法および受信装置の好適な実施形態について添付図を参照して説明する。なお、以下の各図面に付した図面参照符号は、理解を助けるための一例として各要素に便宜上付記したものであり、本発明を図示の態様に限定することを意図するものではないことは言うまでもない。
【００２３】
（本発明の特徴）
本発明の実施形態の説明に先立って、本発明の特徴についてその概要をまず説明する。本発明は、無線通信システムにおいて、ナイキストフィルタ部の後段に歪み補償部を配置した構成からなる受信装置に、該歪み補償部の出力信号に含まれている広帯域のノイズ成分を減衰させて、送信装置から受信した信号に含まれている非線形歪みを推定することが可能な信号を出力する送信歪み推定用フィルタ部を新たに追加して、誤差検出部の前段に配置することを主要な特徴としている。
【００２４】
かかる構成を採用することにより、受信装置において、周波数利用効率を向上させるために有効なＭＩＭＯ等の回路構成を採用する場合のように、ナイキストフィルタ部の後段側に歪み補償部を配置することが必要になる構成であっても（すなわち、ナイキストフィルタ部の後段側に、送信装置から受信した受信信号に基づいて非線形歪み量を推定して非線形歪みを補償する受信リニアライザを配置することが必要になる構成であっても）、誤差検出部において、送信歪み推定用フィルタ部から出力される信号に基づいて、送信装置の非線形デバイスにおいて発生した誤差信号を正確に検出することができる。而して、補償係数算出部において、誤差検出部が正確に検出した誤差情報に基づいて補償係数を算出することができるので、歪み補償部において、送信装置の非線形デバイスにおいて発生した非線形歪みを適切に補償することが可能となり、受信信号品質を向上させることができる。
【００２５】
（実施形態の構成例）
次に、本発明に係る無線通信システムの実施形態において、図１を参照しながら詳細に説明する。図１は、本発明に係る無線通信システムのシステム構成の一例を示すシステム構成図であり、無線信号を送信する送信装置と無線信号を受信する受信装置との非線形歪み補償関連の主要部に関する内部構成についても示している。
【００２６】
図１の送信装置２０において、変調部２１から変調された送信信号が、増幅器等の非線形デバイス２２に入力されると、非線形歪みが生じた信号として、アンテナ２３から送信される。
【００２７】
受信装置１０においては、アンテナ１１により受信した信号は、まず、ナイキストフィルタ部１２により整形された後、受信リニアライザとして機能する歪み補償部１３に入力される。歪み補償部１３においては、補償係数算出部１４において算出された補償係数に基づいて、入力された信号に含まれている送信装置２０の非線形デバイス２２において発生した非線形歪みが補償されて、出力信号ｙ（ｔ）として、受信装置１０から出力される。
【００２８】
ここで、補償係数算出部１４において算出される補償係数は、誤差検出部１５において検出される誤差情報Ｅ（ｔ）に基づいて算出される。また、誤差検出部１５において検出される誤差情報Ｅ（ｔ）は、送信歪み推定用フィルタ部１６から出力される信号に基づいて求められる。送信歪み推定用フィルタ部１６は、歪み補償部１３の前段側に配置したナイキストフィルタ部１２における信号の整形処理による非線形歪み補償に対する影響を緩和するために追加した本発明に特有の回路である。そして、送信歪み推定用フィルタ部１６は、受信信号の送信元の送信装置２０において発生している非線形歪みを補償する動作を行う歪み補償部１３からの出力信号ｙ（ｔ）に含まれている広帯域のノイズ成分を減衰させて、送信装置２０からの信号に含まれている非線形歪みを推定することが可能な信号を誤差検出部１５に対して出力するという機能を有している。
【００２９】
以上のように、受信装置１０においては、歪み補償部１３の前段にナイキストフィルタ部１２を配置した構成において、歪み補償部１３の出力信号に含まれている広帯域のノイズ成分を減衰させて、送信装置２０から受信した信号に含まれている非線形歪みを推定することが可能な信号を出力する送信歪み推定用フィルタ部１６を新たに追加して誤差検出部１５の前段に接続する構成としている。したがって、歪み補償部１３において、送信装置２０の非線形デバイス２２において発生している非線形歪みを適切に補償して、十分な非線形歪み補償特性を得ることができる。
【００３０】
而して、受信装置１０は、周波数利用効率の向上を図るためにＭＩＭＯなどの回路構成を採用する場合であっても、信号品質を向上させることが可能となり、信号の高多値化を実施することが可能になる。つまり、信号の高多値化と周波数利用効率の向上とを両立させることが可能になり、無線通信システムの高速化・大容量化を図ることが可能になる。
【００３１】
（実施形態の動作の説明）
次に、図１に示した無線通信システムの動作について、その一例を説明する。なお、図１の無線通信システムにおいては、受信装置１０に搭載している送信歪み推定用フィルタ部１６以外の各構成要素は、図５に示した現状の技術の場合と、ナイキストフィルタ部と歪み補償部との配置位置に入れ替えはあるものの、全く同様の周知の非線形歪み補償動作を行っているので、ここでの説明は割愛し、本発明に特有の回路として受信装置１０に実装している送信歪み推定用フィルタ部１６について、その動作の一例を説明する。
【００３２】
送信装置２０の非線形デバイス２２において発生する非線形歪みのスペクトラムは、例えば図２に示すような信号成分になっていて、非線形歪みの周波数領域を非線形歪み成分５１としてハッチングによって示している。また、受信装置１０の歪み補償部１３の出力信号ｙ（ｔ）のスペクトラムは、例えば図３に示すような信号成分になっていて、出力信号ｙ（ｔ）に含まれるノイズの周波数領域をノイズ成分５２としてハッチングによって示している。ここで、図２は、図１の送信装置２０の非線形デバイス２２において発生する非線形歪みのスペクトラムの一例を示す模式図であり、図３は、図１の受信装置１０の歪み補償部１３の出力信号ｙ（ｔ）のスペクトラムの一例を示す模式図である。
【００３３】
図３の歪み補償部１３の出力信号ｙ（ｔ）のスペクトラムに示すように、出力信号ｙ（ｔ）には、ナイキストフィルタ部１２における信号の整形処理の影響を受けて、図２の非線形デバイス２２において信号に付加される非線形歪み成分５１の周波数領域よりもさらに広帯域に広がるノイズ成分５２が含まれている。
【００３４】
したがって、図３の出力信号ｙ（ｔ）を、送信歪み推定用フィルタ部１６を介することなく、直接、誤差検出部１５に入力すると、広帯域に広がっているノイズ成分５２の影響を受けて、誤差検出部１５においては、誤差を正しく検出することができない。したがって、補償係数算出部１４においても、歪み補償部１３に対して出力すべき適切な補償係数を算出することができなくなり、受信信号に対する適切な歪み補償を行うことができない。
【００３５】
そのため、本実施形態においては、図１に示すように、ナイキストフィルタ部１２の整形処理の非線形歪み補償に対する影響を緩和するために、送信歪み推定用フィルタ部１６を追加して誤差検出部１５の前段に配置し、歪み補償部１３の出力信号ｙ（ｔ）を送信歪み推定用フィルタ部１６に入力するように構成している。送信歪み推定用フィルタ部１６においては、歪み補償部１３から入力された出力信号ｙ（ｔ）に含まれている広帯域のノイズ成分を減衰させて、送信装置２０において発生させた非線形歪み成分を推定することが可能な信号を誤差検出部１５に対して出力する。したがって、誤差検出部１５においては、誤差を正しく検出することができるようになり、補償係数算出部１４において適切な補償係数を算出することができるので、歪み補償部１３における歪み補償を正確に行うことが可能になる。
【００３６】
その結果、歪み補償部１３の前段にナイキストフィルタ部１２を配置した回路構成であっても、非線形歪みに対する歪み補償を適切に行うことができ、出力信号ｙ（ｔ）の信号品質を向上させることができる。而して、受信装置１０は、前述したように、周波数利用効率の向上を図るためにＭＩＭＯなどの回路構成を採用しようとする場合のように、歪み補償部１３をナイキストフィルタ部１２の前段に配置することができないような場合であっても、出力信号ｙ（ｔ）の信号品質を向上させることが可能となり、信号の高多値化を採用することが可能になる。つまり、信号の高多値化と周波数利用効率の向上とを両立させることが可能になり、無線通信の高速化・大容量化を図ることが可能になる。
【００３７】
（実施形態の効果の説明）
以上に詳細に説明したように、本実施形態においては、次のような効果が得られる。
【００３８】
図５に示したような現状の技術における受信装置３０においては、受信リニアライザとして非線形歪みを適切に実施することを可能にするために、ナイキストフィルタ部３２の前段に歪み補償部３３を配置している。しかし、周波数利用効率の向上を図るためにＭＩＭＯなどの回路構成を採用しようとする場合、ナイキストフィルタ部３２の前段に歪み補償部３３を配置することが困難になる。このため、ナイキストフィルタ部３２の後段側に歪み補償部３３を配置せざるを得ないが、かかる回路構成にすると、前述したように、ナイキストフィルタ部３２における信号の整形処理の影響を受けて、歪み補償部３３においては、適切な歪み補償を行うことができなくなり、出力信号ｙ（ｔ）の信号品質が劣化してしまう。
【００３９】
これに対して、本実施形態においては、歪み補償部１３の前段側に配置したナイキストフィルタ部１２における信号の整形処理による非線形歪み補償に対する影響を緩和するために、送信歪み推定用フィルタ部１６を誤差検出部１５の前段に配置して、出力信号ｙ（ｔ）に含まれている広帯域のノイズ成分５２を減衰させているので、誤差検出部１５において誤差を正しく検出することが可能になる。而して、ナイキストフィルタ部１２の後段に歪み補償部１３を配置しても、正しく検出された誤差に基づいて適切な補償係数が算出され、歪み補償部３３において正確な歪み補償を行うことができるので、出力信号ｙ（ｔ）の信号品質を向上させることが可能になる。
【００４０】
（他の実施形態）
前述の実施形態においては、送信歪み推定用フィルタ部１６の配置位置として、歪み補償部３３の出力信号ｙ（ｔ）を受信装置１０の外部に出力するための出力信号線から分岐させた分岐信号線上において誤差検出部１５の前段の位置に配置している。しかし、本発明は、かかる配置に限るものではなく、図４に示すような回路構成としても良い。図４は、本発明に係る無線通信システムのシステム構成の図１とは異なる例を示すシステム構成図であり、図１の受信装置１０内の送信歪み推定用フィルタ部１６の配置位置が、図１の場合とは異なっている例を示している。
【００４１】
すなわち、図４に示す受信装置１０Ａにおいては、送信歪み推定用フィルタ部１６を歪み補償部１３からの出力信号を外部に出力する出力信号線上に配置している。つまり、歪み補償部１３からの出力信号を送信歪み推定用フィルタ部１６に入力して、送信歪み推定用フィルタ部１６からの出力信号を、受信装置１０Ａの外部への出力信号ｙ（ｔ）として出力するとともに、分岐信号線を経由して、誤差検出部１５に対しても出力するように構成している。
【００４２】
図４の受信装置１０Ａにおいては、図１の場合と同様に、送信歪み推定用フィルタ部１６は、歪み補償部１３の出力信号に含まれている広帯域のノイズ成分５２を減衰させている。したがって、誤差検出部１５において誤差を正しく検出することが可能になると同時に、さらに、受信装置１０Ａの外部に出力する出力信号ｙ（ｔ）に含まれるノイズ成分についても、図１の場合よりもさらに減衰させて出力することができ、出力信号ｙ（ｔ）の信号品質のさらなる向上が可能になる。
【００４３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００４４】
１０      受信装置
１０Ａ    受信装置
１１      アンテナ
１２      ナイキストフィルタ部
１３      歪み補償部
１４      補償係数算出部
１５      誤差検出部
１６      送信歪み推定用フィルタ部
２０      送信装置
２１      変調部
２２      非線形デバイス
２３      アンテナ
３０      受信装置
３１      アンテナ
３２      ナイキストフィルタ部
３３      歪み補償部
３４      補償係数算出部
３５      誤差検出部
４０      送信装置
４１      変調部
４２      非線形デバイス
４３      アンテナ
５１      非線形歪み成分
５２      ノイズ成分
【図１】
2019213088.tif 000003
【図２】
2019213088.tif 000004
【図３】
2019213088.tif 000005
【図４】
2019213088.tif 000006
【図５】
2019213088.tif 000007